(57)【要約】      （修正有）【課題】棺桶に収容されたご遺体の顔の周囲に装飾される生花の花びらが全て略同一平面上に均一配置されることができ、且つご遺体の頭部を安定した状態に維持でき、火葬の際には有毒ガスの発生を防止できる棺桶における枕収納構造を提供する。【解決手段】棺桶本体３１の頭部箇所の幅の略全体に枕１が載置されると共に、前記枕１の中身は発泡アクリル樹脂からなること。前記枕の上表面１ｈは略平坦状をなしていること。前記枕１の中身の発泡アクリル樹脂は、ビーズ形状とする。【選択図】図１
0003158189.tif 000002
【実用新案登録請求の範囲】
【請求項１】
棺桶本体の頭部箇所の幅の略全体に枕が載置されると共に、前記枕の中身は発泡アクリル樹脂からなることを特徴とする棺桶における枕収納構造。
【請求項２】
請求項１において、前記枕の上表面は略平坦状をなしていることを特徴とする棺桶における枕収納構造。
【請求項３】
請求項１又は２において、前記枕の中身の発泡アクリル樹脂は、ビーズ形状としてなることを特徴とする棺桶における枕収納構造。
【考案の詳細な説明】
【技術分野】
【０００１】
本考案は、棺桶に収容されたご遺体の顔の周囲に装飾される生花の花びらが全て略同一平面上に均一配置されることができ、且つご遺体の頭部を安定した状態に維持でき、火葬の際には有毒ガスの発生を防止できる棺桶における枕収納構造に関する。
【背景技術】
【０００２】
従来から一般に通夜，告別式等の葬祭において、棺桶に収容されるご遺体には頭部に枕が添えられる。そして、葬儀の参列者が遺体と対面するときに、生花を棺桶に入れることが慣例として行われる。生花の花びらは、ご遺体の顔の周囲を装飾し、ご遺体を美しくして、葬送することができる。そのためには、生花がご遺体の顔の周囲にきれいに配置されなくてはならない。棺桶に収納される枕等は、特許文献１に開示されている。
【先行技術文献】
【特許文献】
【０００３】
【特許文献１】特開２００１−９５８６３
【考案の概要】
【考案が解決しようとする課題】
【０００４】
特許文献１に開示された枕では、枕の全長が棺桶の幅方向に対して短く、枕の長手方向の両端と棺桶の内部側との間には空隙が生じている。このような状態で、生花をご遺体の顔の周囲に置いた場合には、枕の部分と枕の無い空隙部分とで、大きな段差が生じてしまう。その結果、生花の花びらひっくり返って逆さま状態でご遺体の顔の周囲に配置されてしまうことになる。飾り付けが乱れてしまうものであった（図４参照）。
【０００５】
このように、枕の長手方向が小さく、枕の長手方向の両端と棺桶の内部側との間に空隙が生じていると、ご遺体の顔付近に飾りつけようとした生花は、枕から棺桶の底に落下して、生花がひっくり返り、不揃いな状態となってしまい、このような状態ではご遺体に対する尊厳の念を失することになり、且つ遺族及び参列者に対しても極めて失礼な状態となる。さらに通常の枕では、頭部が置かれたときに、頭部周辺が緩やかに窪み頭部が安定しない。本考案の目的（技術的課題）は、棺桶に収容されたご遺体の顔の周辺に装飾される生花が同一面に揃うように配置されることができ、またご遺体の頭部を安定した状態で支持することにある。
【課題を解決するための手段】
【０００６】
そこで、考案者は、上記課題を解決すべく、鋭意、研究を重ねた結果、請求項１の考案を、棺桶本体の頭部箇所の幅の略全体に枕が載置されると共に、前記枕の中身は発泡アクリル樹脂からなる棺桶における枕収納構造としたことにより、上記課題を解決した。請求項２の考案を、請求項１において、前記枕の上表面は略平坦状をなしている棺桶における枕収納構造としたことにより、上記課題を解決した。請求項３の考案を、請求項１又は２において、前記枕の中身の発泡アクリル樹脂は、ビーズ形状としてなる棺桶における枕収納構造としたことにより、上記課題を解決した。
【考案の効果】
【０００７】
請求項１の考案では、棺桶本体の頭部箇所の幅の略全体に枕が載置される構成としているために、枕の長手方向の端部が棺桶の幅方向内側面にまで位置しているので、ご遺体の顔の左右両側には棺桶の幅方向内側面の位置まで、枕の均一な高さで面が連続することになる。このような構成とした枕の上に生花を配置すると、生花の長手方向の端部が棺桶の幅方向内側面にまで到達しており、飾り付けられた生花は、均一且つ同一高さの面に位置することとなり、きれいな装飾状態でご遺体の顔の周囲を飾ることができる。
【０００８】
さらに、前記枕の中身は発泡アクリル樹脂からなるものであるが、これは、燃焼しても有害なガスを発生することがなく、環境に対しても極めて優しいものである。請求項２の考案では、前記枕の上表面は略平坦状をなしていることにより、より一層、飾り付けられた生花の高さ位置を均一に保つことができ、整然とした生花の装飾状態にすることができる。請求項３の考案では、前記枕の中身の発泡アクリル樹脂は、ビーズ形状としているので、枕の上表面において、ご遺体の頭部の部分が載置される箇所のみが頭部の形状に沿って凹むこととなり、ご遺体の頭部を極めて安定した状態で美しい状態で棺桶に収容することができる。
【図面の簡単な説明】
【０００９】
【図１】（Ａ）は本考案における棺桶本体に遺体が納められた状態の平面図、（Ｂ）は本考案における枕が納められた棺桶本体の要部拡大図、（Ｃ）は本考案における棺桶本体に遺体が納められ且つ遺体の頭部周囲に生花が装飾された状態の平面図。
【図２】（Ａ）は本考案の枕と棺桶本体とを分離した状態の縦断正面図、（Ｂ）は枕を棺桶に収納した状態の縦断正面図である。
【図３】（Ａ）は本考案における枕の作用図、（Ｂ）は本考案における枕に生花を装飾した状態の作用図である。
【図４】棺桶に従来の枕を設けた作用図である。
【考案を実施するための形態】
【００１０】
以下、本考案の実施形態を図面に基づいて説明する。本考案における枕１は、図１に示すように、枕外装部１１と内容物１２とから構成される。枕外装部１１は、袋形状に形成されたもので、布地にて縫製により形成される。内容物１２は、前記枕１における中身となるものであって、枕外装部１１の内部に詰め込まれる部材となる。前記内容物１２は、発泡アクリル樹脂であり、具体的にはビーズ形状の小粒の集合体としたものである〔図２（Ａ），図３参照〕。すなわち、一粒のビーズ形状材としたものが、発泡アクリル樹脂から形成されたものである。そして、これらのビーズ形状とした小粒が多数個集められて、前記枕外装部１１内に入れられている。
【００１１】
前記内容物１２を構成する発泡アクリル樹脂は、燃焼しても有害なガスが発生しないものである。したがって、火葬によって、枕が燃焼しても、発生するガスは有毒ではなく、環境にも極めて優しいものである。本考案は、前記枕１と棺桶３とによって構成されるものである。棺桶３は、棺桶本体３１と蓋とから構成されるものであり、該棺桶本体３１は、ご遺体が収容される筐体の部分である。そして、棺桶３の蓋は、図示されないが、棺桶本体３１に被せられることになる。
【００１２】
本考案における枕１は、その長手方向の長さ寸法Ｌが棺桶３の棺桶本体３１の幅方向両内側面３１ａ，３１ａの間隔Ｗに略等しく形成される〔図１（Ｂ），図２（Ａ）参照〕。さらに、枕１の長手方向の寸法Ｌは、前記両内側面３１ａ，３１ａの間隔Ｗよりも僅かに大きく形成されることが好適である。そして、棺桶３の棺桶本体３１のご遺体が収容された状態で、その頭部箇所における棺桶本体３１の幅の略全体に亘って枕１が載置される状態となる〔図１（Ｂ），図２（Ｂ）参照〕。
【００１３】
前記枕外装部１１は、一枚の布地１１ａが上下方向に縫い合わせられるように折り畳まれ、縫製されたものである〔図２（Ａ）参照〕。そして折り畳まれた上下両布地１１ａ，１１ａのそれぞれの周縁箇所は、内方に折り曲げられた状態であり、縫い目から枕外装部１１の外部に布片が突出したものではない。このような構成の枕１としているので、該枕１の長手方向両端部１ｔ，１ｔには、後述するように多数の小粒の集合とした内容物１２が略均一に行き渡り水平に載置された状態では、枕高さＨを略均一にすることができる。
【００１４】
特に、枕１の中身である内容物１２としては、ビーズ形状とした小粒を多量備え、この集合体としたものである（図２参照）。これによって、枕１の上表面１ｈを平坦面状に整えることが容易にできる。該上表面１ｈとは、実際にご遺体の頭部が載置される側の面のことである（図２，図３参照）。また、内容物１２は前述したように、ビーズ形状の小粒としたものであるために、枕外装部１１内部で前記内容物１２の流動性が良好であり、且つ種々のご遺体の後頭部の形状に対して、極めて良好に対応し、後頭部の形状に馴染み易いものにできる。そのために、ご遺体の頭部が枕１に載置された状態では、その頭部が接触している部分のみが頭部の形状に沿って窪み（又は凹み）、ご遺体の頭部を極めて安定した状態にて支持することができ、仮に衝撃が加わったとしても、ご遺体の頭部が枕１からずれにくいものにできる〔図３（Ｂ）参照〕。
【００１５】
前述したように、前記枕１の長手方向の寸法Ｌが、前記両内側面３１ａ，３１ａの間隔Ｗよりも僅かに大きく形成されることで、枕１の長手方向の両端部１ｔ，１ｔは、前記棺桶本体３１の両内側面３１ａ，３１ａから押えられるようにして支持され、また前記棺桶本体３１の底面３１ｂと、前記枕１の下表面１ｋとは当接するものである。そのために、枕１の長手方向両端部１ｔ，１ｔと、前記下表面１ｋは、略平坦な面となる〔図３（Ｂ）参照〕。
【００１６】
それゆえに、棺桶本体３１の頭部箇所に収納される枕１の形状は、略扁平の直方体状となる〔図２（Ｂ）参照〕。したがって、枕１は、棺桶３の棺桶本体３１の頭部対応位置に配置されることにより、中身の内容物１２であるビーズ形状とした多量の小粒の上面部分が自然と均一な平坦面を構成することとなり、枕高さＨを均一（略均一も含む）にでき、上表面１ｈは、平坦状に整えることができる〔図２（Ｂ）参照〕。
【００１７】
そして、ご遺体が棺桶３の棺桶本体３１に収容されると、ご遺体の頭部の重さでビーズ形状の小粒とした内容物１２がその後頭部の形状に馴染む形状となり、頭部を安定させる。そこで、参列者がご遺体と対面するときに、生花４を供えるときに、前記枕１の上表面１ｈはいずれの位置においても、略同一且つ均一の高さＨ〔図３（Ａ）参照〕であり、しかも枕１の上表面１ｈが略平坦面状となるために、該上表面１ｈに載置される多数の生花４，４，…群の頂部位置の高さは略同一且つ均一となる高さＨａとなり、ご遺体の顔の周囲に極めて整然且つきれいな状態で生花４を装飾することができるものである〔図１（Ｃ），図３（Ｂ）参照〕。
【００１８】
枕１の中身である前記内容物１２は、発泡アクリル樹脂から形成された多数のビーズ形状の小粒としたものである。そのために、多数の小粒状の集合とした内容物１２は、枕外装部１１内において、適宜に流動させつつ、その小粒の集合の上面部分を略平坦状に整えることにより、極めて容易に枕１の上表面１ｈを平坦面状にセットすることができる。このように、本考案における枕１は、上表面１ｈを簡単に略平坦状にし易いものである。
【００１９】
前記枕外装部１１を袋形状に形成した場合には、単にその袋内に多数のビーズ形状の小粒の内容物１２を充填するのみで極めて簡単に製造することができ、生産性に優れたものである。本考案では、枕１は、ご遺体の頭部箇所において、幅方向内側面３１ａ，３１ａに設置することとしているが、必要に応じて、ご遺体の頭部及び肩部箇所にまでの広さを支持できる大きさのサイズとしてもよい。
【符号の説明】
【００２０】
１…枕、１ｈ…上表面、１２…内容物、３１…棺桶本体、３１ａ…内側面。
【図１】
0003158189.tif 000003
【図２】
0003158189.tif 000004
【図３】
0003158189.tif 000005
【図４】
0003158189.tif 000006